(57)【要約】【課題】粉砕工程や気相反応を用いることなく、第二相粒子を含有するセラミックス系複合体を、簡便に製造する方法を提供すること。【解決手段】セラミックス材料の構成元素の全て又は一部を含み、焼成することによって有機−無機変換によりセラミックスとなる高分子前駆体物質、該高分子前駆体物質を溶解する溶媒及び第二相粒子を混合し、さらに、この混合液と該高分子前駆体物質を溶解しない溶媒を混合することにより、溶解された該高分子前駆体物質を第二相粒子を核とする複合前駆体粒子として混合溶媒溶液中に析出させることを特徴とする複合前駆体粒子含有スラリーの製造方法。【選択図】図１
2007063092.tif 000002
【特許請求の範囲】
【請求項１】
セラミックス材料の構成元素の全て又は一部を含み、焼成することによって有機−無機変
換によりセラミックスとなる高分子前駆体物質、該高分子前駆体物質を溶解する溶媒及び
第二相粒子を混合し、さらに、この混合液と該高分子前駆体物質を溶解しない溶媒を混合
することにより、溶解された該高分子前駆体物質を第二相粒子を核とする複合前駆体粒子
として混合溶媒溶液中に析出させることを特徴とする複合前駆体粒子含有スラリーの製造
方法。
【請求項２】
高分子前駆体物質、該高分子前駆体物質を溶解する溶媒及び第二相粒子を混合し、該高分
子前駆体物質を溶解しない溶媒に該混合液を滴下することにより、溶解された該高分子前
駆体物質を第二相粒子を核とする複合前駆体粒子として混合溶媒溶液中に析出させること
を特徴とする請求項1記載の複合前駆体粒子含有スラリーの製造方法。
【請求項３】
高分子前駆体物質がポリシリレン類であることを特徴とする請求項1又は２記載の複合前
駆体粒子の製造方法。
【請求項４】
第二相粒子は直径が１μｍ以下の繊維状物質であることを特徴とする請求項1又は２記載
の複合前駆体粒子の製造方法。
【請求項５】
請求項１〜４のいずれかに記載の方法で製造したスラリーから溶媒を除去することを特徴
とする内部に第二相粒子を含有する複合前駆体粒子の製造方法。
【請求項６】
請求項１〜５のいずれかに記載の方法で製造した複合前駆体粒子の高分子成分を焼成する
ことによって内部に第二相粒子を含有するセラミックス材料を形成することを特徴とする
セラミックス系複合体の製造方法。
【発明の詳細な説明】
【技術分野】
【０００１】
本発明は、焼成により内部に第二相粒子を含有するセラミックス系複合体を製造する方
法及びその前段階として内部に第二相粒子を含有する複合前駆体粒子を製造する方法に関
する。
【背景技術】
【０００２】
高分子物質を出発原料として用い、熱分解・焼成過程を経て、セラミックスを合成する
前駆体法は、材料微細構造の制御が容易であり、高性能耐熱材料の製造方法として期待さ
れている。とくに、耐熱複合材料用の連続強化繊維として、ポリカルボシラン高分子前駆
体から焼成されたSi-C-O系セラミックス繊維が知られている（非特許文献1）。
【０００３】
また、高分子前駆体粉末からセラミックスバルク材を作製する方法として、ポリシラザ
ン高分子の架橋熱処理によって得た固体前駆体を機械的に粉砕して粉末とし、加圧成形お
よび焼成のプロセスを経てSi-C-N系セラミックスを作製する手法が開発されている（非特
許文献２）。また、ポリカルボシラン高分子の固体を粉砕して粉末とし、酸化不融化処理
、加圧成形および焼成のプロセスを経てSi-C-O系セラミックスを作製した例も報告されて
いる（非特許文献３）。
【０００４】
しかしながら、このような高分子前駆体固体物質の機械的粉砕においては、不純物が混
入しやすいという問題がある。また、高分子前駆体によっては、粉砕に長時間を必要とす
る場合もある。前駆体化学物質を原料として、機械的粉砕を経ないで直接にセラミックス
粉末を作製する手法としては、シラン化合物などの気相反応により、Si-C系などのセラミ
ックス微粉末が作製されている（非特許文献４）。しかしながら、この手法では、気相反
応を利用するために、生産性が低いという問題がある。
【０００５】
一方、セラミックス粉末にカーボンナノチューブなどの第二相粒子を混合して焼結する
ことにより、第二相粒子を含有するセラミックス系複合材料が知られている。たとえば、
SiC粉末にカーボンナノチューブを10％混合して焼結することによる複合材料の作製とそ
の機械的性質が報告されている（非特許文献５）。しかしながら、セラミックス粉末に第
二相粒子を混合して焼結する手法では、セラミックス粉末間に第二相粒子が偏在し、第二
相粒子の添加量が多くなるにしたがって、セラミックス粉末の焼結が困難となり、機械的
性質などの低下を招くため、第二相粒子の適切な添加量が限られてしまう。
【０００６】
また、SiOガスなどを利用した気相反応により、カーボンナノチューブ表面にSiCを析出
させる手法が報告されている（非特許文献６および特許文献１）。しかしながら、この手
法では、カーボンナノチューブ表面にSiCを薄く析出させる目的としては適しているが、S
iCセラミックスとカーボンナノチューブの複合材料を作製するためには、SiCの析出膜を
厚くする必要があり、工業的生産性としては問題がある。
【０００７】
セラミックス粉末中にカーボンナノチューブを含有する複合粉末の製造方法として、カ
ーボンナノチューブを溶媒に分散させ、か焼によりセラミックスとなることができる水溶
性塩を混合し、乾燥およびか焼する手法が提案されている（特許文献２）。この方法では
、酸化物系セラミックスの複合粉末を作製することができるが、炭化物系や窒化物系セラ
ミックスの複合粉末を作製することは容易ではない。
【０００８】
【非特許文献１】S. Yajima他：J. Am. Ceram. Soc., 59 (1976), 324-327.
【非特許文献２】R. Riedel他：Nature, 355 (1992), 714-717.
【非特許文献３】K. Kakimoto他：J. Am. Ceram. Soc., 82 (1999), 2337-2341.
【非特許文献４】岡部安三、北條純一、加藤昭夫：日本化学会誌, (1980), 188-193.
【非特許文献５】R.Z. Ma他：J. Mater. Sci., 33 (1998), 5243-5246.
【非特許文献６】J. W. Liu他：Chem. Phys. Lett., 348 (2001), 357-360.
【特許文献１】特開２００５−０７５７２０号公報
【特許文献２】特開２００４−２５６３８２号公報
【発明の開示】
【発明が解決しようとする課題】
【０００９】
本発明は、上記の問題点を解決し、粉砕工程や気相反応を用いることなく、第二相粒子
を含有するセラミックス系複合体を、簡便に製造する方法を提供することを目的とする。
【課題を解決するための手段】
【００１０】
本発明者は、高分子前駆体物質の各種溶媒に対する溶解度を詳細に検討した結果、高分
子前駆体物質を溶媒に溶解し、この溶液、及び、該高分子前駆体物質を溶解しない溶媒を
混合して、該高分子前駆体物質粒子を混合溶媒溶液中に均一微細に析出させ、該前駆体粒
子を含有するスラリーを容易に作製できることを見い出した。また、該高分子前駆体物質
粒子を混合溶媒溶液中に析出させる際に、予め第二相粒子を分散させておくことにより、
第二相粒子を含有して複合前駆体粒子を析出させることができることを見い出した。さら
に、混合溶媒溶液の溶媒を除去することにより、該前駆体粉末を容易に作製でき、これを
焼成することによって内部に第二相粒子を含有するセラミックス系複合体を容易に作製で
きることを見い出した。
【００１１】
すなわち、本発明による複合前駆体粒子の製造方法は、高分子前駆体物質、該高分子前
駆体物質を溶解する溶媒及び第二相粒子を混合し、さらに、この混合液と該高分子前駆体
物質を溶解しない溶媒を混合することにより混合溶媒溶液を形成し、溶解された該高分子
物質の粒子を第二相粒子を核とする複合体として混合溶媒溶液中に析出させることを特徴
とするものである。さらに、混合溶媒溶液の溶媒を除去することを特徴とするものである
。そして、本発明によるセラミックス系複合体の製造方法は、この方法で製造した複合前
駆体粒子の高分子成分を焼成することによって内部に第二相粒子を含有するセラミックス
材料を形成することを特徴とするものである。
【発明を実施するための最良の形態】
【００１２】
本発明における複合前駆体粒子の製造方法として、高分子前駆体物質、該高分子前駆体
物質を溶解する溶媒及び第二相粒子を混合し、さらに、この混合液と該高分子前駆体物質
を溶解しない溶媒を混合することにより混合溶媒溶液を形成し、混合溶媒溶液全体におけ
る該高分子前駆体物質の溶解度が低下することにより、第二相粒子を核として高分子前駆
体物質粒子を混合溶媒溶液中に析出させることを特徴とする。さらに、混合溶媒溶液の溶
媒を除去することを特徴とする。
【００１３】
本発明では、原料として、溶媒に可溶な高分子前駆体物質を用いる。この高分子前駆体
物質は、目的とするセラミックス材料の構成元素の全て又は一部を含み、焼成することに
よって有機−無機変換によりセラミックスとなる、何らかの溶媒に可溶な高分子前駆体物
質であれば、種類を問わない。本発明に適した高分子前駆体物質の例としては、ポリカル
ボシラン、ポリビニルシランなどのポリシリレン類が挙げられる。なお、ポリシリレン類
は、ポリシラン類とも称されている。例えば、ポリカルボシランをアルゴン雰囲気中で焼
成することにより、Si-C系などのセラミックス材料が、また、アンモニア雰囲気中で焼成
することにより、Si-N系などのセラミックス材料が得られる。また、このような高分子物
質を基本として、酸素、窒素、燐、ホウ素、チタン、ジルコニウム、アルミニウムなどの
元素を含むものであっても構わない。さらには、複数の高分子物質を混合したもの、重縮
合したものであっても構わない。
【００１４】
ここで、該高分子前駆体物質を溶解する溶媒として、ノルマルヘキサンやキシレンなど
の有機溶媒が好適である。該高分子物質を溶解するものであれば、複数の溶媒を混合した
ものであってもよい。とくに粘性の低いノルマルヘキサンが好ましい。溶解する方法は問
わないが、迅速に溶解させるために、撹拌することが望ましい。
【００１５】
一方、該高分子前駆体物質を溶解しない溶媒の例としては、エタノール、メタノール、
アセトン、水などが挙げられる。該高分子物質を溶解しないものであれば、複数の溶媒を
混合したものであってもよい。混合の容易さから、粘性の低い溶媒が好ましい。さらには
、該高分子前駆体物質を溶解する溶媒、及び、該高分子前駆体物質を溶解しない溶媒は、
互いに溶解し合うものを選択することが、均一な析出のために好ましい。ここで、該高分
子前駆体物質を溶解しない溶媒の量は析出の均一性のために多い方が好ましく、溶解に用
いた溶媒の量に対し、体積比で2倍以上が好ましい。
【００１６】
含有する第二相粒子は、該高分子前駆体物質の溶解及び析出に用いる両種の溶媒に溶解
しないものであれば、種類を問わない。用途に応じて、セラミックス粉末、金属粉末、金
属間化合物粉末、炭素粉末、フラーレン物質粒子などを選択することができる。なお、該
高分子前駆体物質と第二相粒子の混合比率は、用途に応じて任意の値を選択することがで
きる。
【００１７】
従来の粉末混合による複合材の製造方法においては混合が容易ではない、繊維状やウィ
スカー状のものでも本発明では、容易に複合化することが可能である。すなわち、第二相
粒子の形状アスペクト比が２以上であっても適用可能である。例えば、セラミックスウィ
スカーやカーボン繊維ウィスカーなどが選択できる。さらには、第二相粒子として、カー
ボンナノチューブなどの直径が１μｍ以下の繊維状物質は特に有用である。カーボンナノ
チューブのみならず、窒化物系や酸化物系などのナノチューブも有用である。これらの繊
維状物質は、化学組成による種類、化学結合状態の種類、また、単層又は多層の構造によ
る種類を問わない。
【００１８】
混合方法は問わないが、まず該高分子前駆体物質を溶媒に溶解し、次に第二相粒子をこ
の溶液に混合し、該高分子前駆体物質を溶解しない溶媒を撹拌しながら、該粒子分散溶液
を該溶媒に滴下することが好ましい。この順序で混合することにより、溶解された該高分
子前駆体物質が第二相粒子を核として析出し、第二相粒子を内部に含有する複合前駆体粒
子となる。第二相粒子の溶媒分散が容易である場合には、該高分子前駆体物質を溶解する
溶媒に第二相粒子を分散させ、次に該高分子前駆体物質をこの混合液に溶解させ、この粒
子分散溶液を該溶媒に滴下して混合溶媒溶液を形成してもよい。
【００１９】
このように、本発明の方法により、複合前駆体粒子を溶媒中に含有するスラリーを容易
に作製することができる。このスラリーから後述するように複合前駆体粒子を作製するこ
とができるが、このスラリーは、基板上に塗布して焼成することによる複合セラミックス
系皮膜の作製などの用途にも用いることができる。なお、必要に応じてスラリーの溶媒を
置換することもできる。例えば、得られたスラリーから静置や遠心分離などの方法で上澄
液を分離し、所望の溶媒を加えて撹拌することにより、スラリーの溶媒を置換できる。  
【００２０】
本発明の方法により得られたスラリーから溶媒を除去することによって、複合前駆体粒
子を得ることができる。ここで、溶媒を除去する方法は問わない。加熱乾燥、真空乾燥、
凍結乾燥などが選択できる。とくに噴霧乾燥法は量産に適している。さらに、得られた複
合前駆体粒子を該高分子前駆体物質の性質や用途に応じた条件で焼成することにより、目
的のセラミックス系複合体を製造することができる。ここで、複合体とは、内部に第二相
粒子を含有する複合粉末状物質や複合繊維状物質などを総称したものである。
【００２１】
なお、得られた複合前駆体粒子は、その高分子前駆体物質の性質に基づき、任意の処理
を施すことができる。例えば、高分子前駆体物質の種類によっては、焼成する前に、該高
分子前駆体物質の融点以下の温度で酸化性雰囲気中において加熱する酸化不融化処理を施
すことが可能であり、焼成加熱中における溶融を抑制することができる。また、酸化不融
化処理の代わりに電子線照射などの方法でも不融化処理をすることができる。
【００２２】
本発明の製造方法では、機械的粉砕を用いなくても複合前駆体粒子を作製できるため、
不純物の混入が少ないセラミックス系複合体を合成することが可能である。また、高分子
前駆体物質の溶解度を利用しているため、液体の混合により室温でも短時間の反応で容易
に析出が可能であるため、複雑な装置や多大なエネルギーを必要とせず、量産に適してい
る。
【００２３】
本発明による内部に第二相粒子を含有するセラミックス系複合体は、セラミックス系複
合材料焼結材の原料として利用できる他、プラスチック、ゴム、金属などの複合添加粒子
として利用できる。とくに、カーボンナノチューブのようにプラスチック、ゴム、金属に
対する親和性が低い直径が１μｍ以下の繊維状物質をセラミックスで複合化することによ
り、親和性を改善することができる。 
【実施例１】
【００２４】
１ｇのポリカルボシラン固体を、７０ｍＬのノルマルヘキサンに加えてマグネチックス
ターラーで撹拌し、溶解した。これに１ｇの多層カーボンナノチューブ（40〜70nm径）を
混合し、超音波を照射して均一に分散させて粒子分散溶液を形成した。一方、５００ｍＬのエタノールをマグネチックスターラーで撹拌し、その上から前述の粒子分散溶液を滴下し混合溶媒溶液を形成した。さらに、この混合溶媒溶液を５０〜６０℃で乾燥して溶媒を除去した。その結果、黒色の粉末状物質が得られた。
【実施例２】
【００２５】
実施例１で得られた黒色の粉末状物質に、大気中で１７０℃まで昇温してポリカルボシ
ランの酸化不融化処理を施した。さらに、１０００℃で３０分間、アルゴン雰囲気中で焼
成した。この焼成により得られた粉末状物質の走査型電子顕微鏡写真を図１に示す。カー
ボンナノチューブの一部が粉末表面から突出した形態が観察されており、カーボンナノチ
ューブとSi-C-O系セラミックスの複合粉末が得られたことを示している。
［比較例１］
【００２６】
１ｇのポリカルボシラン固体を、７０ｍＬのキシレンに加えてマグネチックスターラー
で撹拌し、溶解した。これに１ｇの多層カーボンナノチューブ（40〜70nm径）を混合し、
超音波を照射して均一に分散させて粒子分散溶液を形成した。一方、５００ｍＬのノルマルヘキサンをマグネチックスターラーで撹拌し、その上から前述の粒子分散溶液を滴下し混合溶媒溶液を形成した。さらに、この混合溶媒溶液を５０〜６０℃で乾燥して溶媒を除去した。その結果、カーボンナノチューブとポリカルボシランの混合物が塊状に生じ、カーボンナノチューブの凝集も部分的に認められた。
【００２７】
これらの結果は、ポリカルボシランのキシレン溶液及びポリカルボシランを溶解するノ
ルマルヘキサンを混合させても複合前駆体粒子は析出せず、乾燥しても分散状態の不均一
な塊状混合物が生じてしまうのに対し、ポリカルボシランのノルマルヘキサン溶液にカー
ボンナノチューブを混合し、ポリカルボシランを溶解しないエタノールに混合することに
よって、複合前駆体粒子を析出させることができることを示している。
【図面の簡単な説明】
【００２８】
【図１】実施例２において、カーボンナノチューブとポリカルボシランより作製したカーボンナノチューブとSi-C-O系セラミックスの複合粉末の図面代用走査型電子顕微鏡写真。
【図１】
2007063092.tif 000003